(57)【要約】【課題】騒音や振動の発生を抑えながら、効率よく防水シート改修作業を実施することが可能となる防水シート固定具を提供する。【解決手段】第一シート固定部９を有するとともに、ビス６によって防水下地２に固定可能な第一部材Ｄ１と、第二シート固定部２０を有するとともに、第一部材Ｄ１の上方に配置された状態で第一部材Ｄ１に連結されることで防水下地２に固定可能な第二部材Ｄ２と、第一部材Ｄ１と第二部材Ｄ２とを連結する連結部１８と、が備えられ、第一部材Ｄ１に、ビス６が挿通可能な第一開口部８が形成され、第二部材Ｄ２のうち、第一開口部８に対応する位置に、第二開口部１９が形成され、連結部１８は、第一開口部８と第二開口部１９とに亘る状態で設けられて、第一部材Ｄ１と第二部材Ｄ２とを連結する。【選択図】図６
2019085772.tif 000002
【特許請求の範囲】
【請求項１】
防水下地の上に敷設された防水シートを、前記防水下地に固定する防水シート固定具であって、
第一シート固定部を有するとともに、釘またはビスによって前記防水下地に固定可能な第一部材と、
第二シート固定部を有するとともに、前記第一部材の上方に配置された状態で前記第一部材に連結されることで前記防水下地に固定可能な第二部材と、
前記第一部材と前記第二部材とを連結する連結部と、が備えられ、
前記第一部材に、前記釘または前記ビスが挿通可能な第一開口部が形成され、
前記第二部材のうち、前記第一開口部に対応する位置に、第二開口部が形成され、
前記連結部は、前記第一開口部と前記第二開口部とに亘る状態で設けられて、前記第一部材と前記第二部材とを連結する防水シート固定具。
【請求項２】
前記第一部材に、前記第一シート固定部が設けられるとともに前記第一開口部が形成された板状の上面部と、前記第一開口部から前記防水下地の側へ向けて筒状に延び、延出端の内部に前記釘の頭部または前記ビスの頭部が係止する頭部係止部を有する筒状部と、が備えられ、
前記第二部材は、前記第二シート固定部が設けられるとともに前記第二開口部が形成された板状の部材であり、
前記連結部は、前記筒状部の内周部に係止するとともに前記第二開口部に係止して、前記第一部材と前記第二部材とを連結する請求項１に記載の防水シート固定具。
【請求項３】
前記連結部に、径方向に拡径可能に構成された筒状の外側部材と、前記外側部材に挿通されることで、前記外側部材を拡径させる軸状の内側部材と、が備えられ、
前記内周部に、前記内側部材によって拡径された前記外側部材が係止する係止部が備えられている請求項２に記載の防水シート固定具。
【請求項４】
前記内側部材は、前記外側部材に挿通されることで、前記外側部材に対して軸方向での位置保持がされるように構成されている請求項３に記載の防水シート固定具。
【請求項５】
前記連結部に、前記筒状部の内周部に螺合可能であるボス部材と、前記ボス部材の内周部に螺合可能なビスと、が備えられている請求項２に記載の防水シート固定具。
【発明の詳細な説明】
【技術分野】
【０００１】
本発明は、防水下地の上に沿って設けられる防水シートを防水下地に固定する防水シート固定具に関する。
【背景技術】
【０００２】
従来、この種の防水シート固定具としては、例えば、金属製の円板からなる固定具本体の上面に、防水シートを接着固定自在な固定部（ホットメルト接着層）を備えるとともに、固定具本体の中央部にネジ挿通孔が形成されており、このネジ挿通孔に挿通させたネジ部材で防水下地に固定するように構成されたものがあった（例えば、特許文献１参照）。
【０００３】
防水シート固定具への防水シートの固定に関しては、例えば、防水下地に設置した防水シート固定具の上から防水シートを被せ、その上方から、電磁誘導加熱装置を用いて固定具本体を加熱することで上述の固定部上の接着層を溶かし、防水シートを固定具本体に固定する構成となっている。
【０００４】
そして、上述のように設置された防水シートを改修する場合には、例えば、既に設置されている防水シート固定具の平面位置から側方にずれた箇所において、防水シートの上から改修用の新しい防水シート固定具を設置し、その防水シート固定具の上から改修用の防水シートを接着することで実施する方法（以下、第１の方法という）がある。
しかし、この改修方法によれば、改修用の防水シート固定具を設置する際に、防水下地にネジ部材を設置する必要があり、その作業に伴う騒音や振動が防水下地に伝播し、環境上好ましくないという問題点がある。
【０００５】
この騒音振動問題を緩和する改修方法として、次のような方法があった。すなわち、既に設置されている防水シート固定具の周囲に沿って防水シートに切り込みを入れると共に、防水シート固定具を再加熱して固定部の接着層を溶かし、切り込みを入れた防水シート部分を、防水シート固定具上から除去したのち、切取り部分に露出した防水シート固定具はそのまま使用して、その上に新たな接着層を設けて、それらの上から改修用の防水シートを敷設して防水シート固定具に接着する方法（以下、第２の方法という）である（例えば、特許文献１参照）。
【先行技術文献】
【特許文献】
【０００６】
【特許文献１】特開２００２−８８９８６号公報
【発明の概要】
【発明が解決しようとする課題】
【０００７】
上述した従来の防水シート固定具を用いる場合には、前記第１の方法による防水シートの改修を行えば、上述したようにネジ部材の設置に伴って騒音振動が発生するから、環境上好ましくない問題がある。また、前記第２の方法による防水シートの改修を行えば、防水シート固定具の固定部から、古い接着層を確実に除去するのに非常に手間が掛かり、防水シート改修の作業効率が低下する問題点がある。そして、古い接着層の除去作業を怠ると、その上から新しい接着層を被せても接着性能を十分に発揮できないおそれがある。
【０００８】
尚、前記第２の方法において、新しい接着層を被せるのに替えて、ネジ部材を外して防水シート固定具ごと新しいものに交換することも考えられるが、この方法では、プラグアンカー等に螺合させてあるネジ部材を一度外すと、プラグアンカーが緩み、再度、ネジ部材を螺着させても充分な固定力が得られなくなる虞があり、好ましくない。
【０００９】
本発明の目的は、上記問題点を解消し、騒音や振動の発生を抑えながら、効率よく防水シート改修作業を実施することが可能となる防水シート固定具を提供する点にある。
【課題を解決するための手段】
【００１０】
本発明に係る防水シート固定具の特徴構成は、
防水下地の上に敷設された防水シートを、前記防水下地に固定する防水シート固定具であって、
第一シート固定部を有するとともに、釘またはビスによって前記防水下地に固定可能な第一部材と、
第二シート固定部を有するとともに、前記第一部材の上方に配置された状態で前記第一部材に連結されることで前記防水下地に固定可能な第二部材と、
前記第一部材と前記第二部材とを連結する連結部と、が備えられ、
前記第一部材に、前記釘または前記ビスが挿通可能な第一開口部が形成され、
前記第二部材のうち、前記第一開口部に対応する位置に、第二開口部が形成され、
前記連結部は、前記第一開口部と前記第二開口部とに亘る状態で設けられて、前記第一部材と前記第二部材とを連結する点にある。
【００１１】
本発明によれば、第一部材が釘またはビスによって防水下地に固定され、第一部材の第一シート固定部によって防水シートが固定される。そして、年数の経過に伴って新しい防水シートに改修するにあたっては、古い防水シートのうち少なくとも第一部材の第一開口部に対応する箇所を切り取り、その第一開口部に対応させて第二開口部を位置させた状態で第二部材を上方側から載置して、第一開口部と第二開口部とに亘る状態で設けられた連結部によって、第一部材と第二部材とを連結する。そして、第二部材の上面に新しい防水シートを接着して固定することができる。
【００１２】
すなわち、古い防水シートを固定するための第一部材を防水下地に固定した状態のまま、再使用することができるので、第一部材を取り外す手間がなく、しかも、この第一部材を有効利用して、第二部材を取り付けるので、防水下地に新たな取付け用の孔を穿設する必要がない。その結果、新たな取付け用の孔を穿設する作業に伴う騒音や振動等の発生を回避できる。
【００１３】
連結部は、釘またはビスが挿通可能な第一開口部の構成を利用して、第一部材と第二部材とを連結するものである。この構成に代えて、例えば、第一部材と第二部材とを連結する構成として、第一開口部から径方向に離れた箇所に、周方向に沿って分散配置された複数箇所にてビス等により連結する構成が考えられるが、このような構成では、連結箇所が多くなって設置作業が煩わしいものとなるおそれがある。これに対して、上記連結部は、第一開口部の構成を利用して、第一部材と第二部材とを連結する構成とすることで、簡単な連結構造によって両者を固定することができる。
【００１４】
従って、騒音や振動の発生を抑えながら、簡単な連結構造によって、効率よく防水シート改修作業を実施することが可能な防水シート固定具を提供できるに至った。
【００１５】
本発明においては、
前記第一部材に、前記第一シート固定部が設けられるとともに前記第一開口部が形成された板状の上面部と、前記第一開口部から前記防水下地の側へ向けて筒状に延び、延出端の内部に前記釘の頭部または前記ビスの頭部が係止する頭部係止部を有する筒状部と、が備えられ、
前記第二部材は、前記第二シート固定部が設けられるとともに前記第二開口部が形成された板状の部材であり、
前記連結部は、前記筒状部の内周部に係止するとともに前記第二開口部に係止して、前記第一部材と前記第二部材とを連結すると好適である。
【００１６】
本構成は、防水下地の上に板状の断熱部材が敷設され、その断熱部材の上面に沿って防水シートが敷設される構成において好適に用いることができる。すなわち、第一部材は、上面部が断熱部材の表面に載置され、且つ、筒状部が断熱部材の内部に進入した状態で、頭部係止部に頭部が係止した釘またはビスによって防水下地に固定することができる。
【００１７】
そして、板状の部材である第二部材を第一部材の上面部の上側から被せて、連結部が、第一部材の筒状部の内部と、第二部材の第二開口部との夫々に係止することにより、第一部材と第二部材とを連結する。このように、連結部は、断熱部材に進入する筒状部の構成を利用して簡単な構造で第一部材と第二部材とを連結することができる。
【００１８】
本発明においては、
前記連結部に、径方向に拡径可能に構成された筒状の外側部材と、前記外側部材に挿通されることで、前記外側部材を拡径させる軸状の内側部材と、が備えられ、
前記内周部に、前記内側部材によって拡径された前記外側部材が係止する係止部が備えられていると好適である。
【００１９】
本構成によれば、内側部材が外側部材に挿通することにより、外側部材は、拡径するとともに、その拡径に伴って筒状部の内周部に備えられた係止部に係止する。つまり、内側部材を外側部材に挿通するように装着するという簡単な操作によって第一部材と第二部材とを連結することができ、連結作業を能率よく行える。
【００２０】
本発明においては、前記内側部材は、前記外側部材に挿通されることで、前記外側部材に対して軸方向での位置保持がされるように構成されていると好適である。
【００２１】
本構成によれば、軸方向での位置保持のための特別な操作を行うことなく、内側部材を外側部材に挿通させるだけの簡単な操作で連結作業を行うことができる。
【００２２】
本発明においては、前記連結部に、前記筒状部の内周部に螺合可能であるボス部材と、前記ボス部材の内周部に螺合可能なビスと、が備えられていると好適である。
【００２３】
本構成によれば、第一部材における筒状部の内周部に設けられたボス部材に対して、第二部材の第二開口部に頭部が係止される状態でビスが螺合することにより、第一部材と第二部材とが連結される。
【００２４】
このようにビスを螺合することによって連結する構成であるから、緩みが少ない状態で強固に第一部材と第二部材とを連結することができる。
【図面の簡単な説明】
【００２５】
【図１】シート固定具の設置状態を示す斜視図である。
【図２】シート固定具の分解斜視図である。
【図３】組付けた状態のシート固定具の斜視図である。
【図４】シート固定具の設置状態を示す断面図である。
【図５】防水シートの改修状況を示す断面図である。
【図６】防水シートの改修状況を示す分解した状態の断面図である。
【図７】防水シートの改修状況を示す断面図である。
【図８】内側部材の差し込み状態を示す断面図である。
【図９】図８のＩＸ−ＩＸ線断面図である。
【図１０】図８のＸ―Ｘ線断面図である。
【図１１】別実施形態の防水シートの改修状況を示す分解した状態の断面図である。
【図１２】別実施形態の防水シートの改修状況を示す断面図である。
【図１３】別実施形態の防水シートの改修状況を示す断面図である。
【発明を実施するための形態】
【００２６】
以下、本発明に係る防水シート固定具の実施形態を図面に基づいて説明する。
【００２７】
図１に示すように、防水シート固定具１（以下、単にシート固定具という）は、屋根下地（防水下地の一例）２の上に防水シート３を固定するものである。
【００２８】
屋根下地２は、この実施形態においては、鉄筋コンクリート製のスラブによって構成されている。そして、屋根下地２には断熱材４が敷設され、断熱材４の上側に配置された状態で防水シート３が備えられている。屋根下地２は、鉄筋コンクリート構造のスラブの他、例えば、ＡＬＣ板を敷き並べて形成したスラブや、デッキプレートや金属折板とコンクリートを組み合わせて形成したスラブや、それらスラブの上に断熱層を積層させたもの等を用いることもできる。そして、屋根下地２は、シート固定具１を固定するためのビスを抜け止め状態に支持することができるものであることが好ましい。
【００２９】
断熱材４は、断熱素材からなる板状の部材である。断熱材４の材質としては、例えば、ポリスチレン、ウレタン、イソシアネート等の種々のものを採用できる。また、図１に示す防水シート３は、可撓性を有し、例えば、塩化ビニル等の合成樹脂で構成されている。
【００３０】
図示しないが、シート固定具１は、屋根下地２に対して間隔を空けて複数配置され、防水シート３は、複数の防水シート固定具１を用いて屋根下地２に固定されるようになっている。
【００３１】
図１，２に示すように、シート固定具１には、板状の上面部としての円板状の板状部材５と、板状部材５に挿通自在でビス６によって屋根下地２に固定される筒状部としての取付部材７とが備えられている。板状部材５は、金属板をプレス加工によって成形してあり、円板の中央部分に、取付部材７を挿通自在な第一開口部としての挿通孔８が形成されている。その挿通孔８の外周側の部分が上方に膨出しており、その上面部分に、防水シート３が固定される第一シート固定部としての接着部９が設けられている。従って、板状部材５と取付部材７とにより、ビス６によって屋根下地２に固定可能な第一部材Ｄ１が構成されている。
【００３２】
接着部９は、例えば、ポリエステル系、エチレン酢酸ビニル系、合成ゴム系、オレフィン系等の接着剤からなるホットメルト接着層によって構成されている。接着部９にて防水シート３を固定する場合は、シート固定具１の上方側に防水シート３を被せるように配置した状態で、その防水シート３の上から電磁誘導加熱装置等によって板状部材５を加熱して接着部９のホットメルト接着層を溶融させることで防水シート３を板状部材５に接着することができる。
【００３３】
板状部材５の最外縁部には、接着部９より下段に位置して、断熱材４の上面に接当自在な環状の接地部１０が形成されている（図４参照）。板状部材５における挿通孔８の周囲は、全周にわたって屋根下地２側に凹入された凹入部１１が形成され、その凹入部１１と接着部９との間には、凹入部１１より屋根下地２とは反対側に膨出する環状のリブ部１２が形成されている。
【００３４】
取付部材７は、金属材にて構成されており、図２に示すように、ビス６が挿通される筒状の本体部１３と、本体部１３の上端に設けられ、本体部１３の外径よりも大径に形成された鍔状部１４と、本体部１３の内部下端に設けられ、ビス６の頭部が係止可能な頭部係止部としての座繰り部１５と、を備えている。取付部材７の本体部１３には、周方向に間隔をあけて径方向に挿通する状態で複数（図に示す例では４つ）の開口１６が形成されている。
【００３５】
次に、シート固定具１の設置手順の一例について説明する。
予め、板状部材５と取付部材７とを合体させておく（図３参照）。そして、断熱材４が敷設されている屋根下地２に対してシート固定具１を設置する。設置にあたっては、取付部材７の下端部を断熱材４に突き刺し、取付部材７の内部に挿入したビス６を捻じ込む。この場合、断熱材４における設置対応位置に、予め、取付部材７を挿入する穴を形成しておいてもよい。鍔状部１４が板状部材５の挿通孔８の周囲に形成された凹入部１１に納まるまでビス６を螺進させる。ビス６によって取付部材７が屋根下地２に固定され、取付部材７が板状部材５を押えることにより、板状部材５が固定される。以上の工程でシート固定具１を設置できる。
【００３６】
他の箇所にもシート固定具１を設置した後、それらの上から防水シート３を広げて被せるように設置して、防水シート３の弛みをとり、防水シート３の上から、シート固定具１に対応する箇所において、図示しない誘導加熱装置を当て付け、誘導加熱装置による加熱で接着面に塗布された接着部９のホットメルト接着層を溶融させて、防水シート３を接着部９に溶着する。これにより、接着部９に防水シート３が固定され、屋根下地２に、ビス６とシート固定具１を介して、防水シート３が支持される。複数のシート固定具１に接着すれば、防水シート３の固定が完了する。
【００３７】
以上のように設置した防水シート３も、年月の経過に伴って劣化するから、長い年月が経過した後には、改修を実施する必要がある。
【００３８】
次に、防水シート３の改修について説明する。
防水シート３の改修を行うときは、図５に示すように、先ず、既に敷設されて固定されている古い防水シート３について、板状部材５における円周状の凹入部１１の外周部に沿って切れ目３ａを入れて切り抜き、切り抜いた部分の防水シート３をシート固定具１から取り除く。そして、図６に示すように、既に設置されている古い板状部材５（以下、下側板状部材という）の上側から重ねるように、新たな改修用の板状部材１７（以下、上側板状部材という）を載置して、連結部１８を用いて下側板状部材５と上側板状部材１７とを連結する。
【００３９】
上側板状部材１７は、下側板状部材５と同じ構成であり、金属板をプレス加工によって成形してあり、円板の中央部分に第二開口部としての挿通孔１９が設けられている。その挿通孔１９の外周側の部分が上方に膨出しており、その上面部分に、防水シート３が固定される第二シート固定部としてのホットメルト接着層からなる接着部２０が設けられている。この上側板状部材１７の挿通孔１９が下側板状部材５の挿通孔８とが重なり合うように、上側板状部材１７を下側板状部材５の上に載置する。そして、載置されている上側板状部材１７の上側から、連結部１８を装着する。
従って、上側板状部材１７により、第一部材Ｄ１に連結されることで屋根下地２に固定可能な第二部材Ｄ２が構成されている。
【００４０】
連結部１８は、径方向に拡径可能に構成された筒状の外側部材２１と、外側部材２１の内部に上下方向に挿通されることで、外側部材２１を拡径させる軸状の内側部材２２とが備えられている。
【００４１】
外側部材２１は、合成樹脂により一体成形にて構成されており、図６、８に示すように、円環状に形成された鍔部２３と、周方向に間隔をあけて鍔部２３から軸方向に沿って片持ち状に延びる複数（図６に示す例では４個）の脚部２４とが備えられている。脚部２４は、周方向に幅広で且つ径方向に幅狭の帯板状のアーム部２４Ａと、アーム部２４Ａの下部に位置して内側部材２２の外方への抜け外れを阻止する係止部２４Ｂとを備えている。
【００４２】
鍔部２３は、上側板状部材１７の挿通孔１９よりも大径であり、上側板状部材１７の挿通孔１９の外周部に載置可能に設けられている。複数の脚部２４は、径方向外方側が本体部１３の内周面に対応する位置に設けられている。外側部材２１が、上側板状部材１７の挿通孔１９を通して取付部材７に差し込まれると、複数の脚部２４が本体部１３の内周面に摺接案内されながら嵌り合い、鍔部２３が上側板状部材１７の挿通孔１９の外周部に載置された状態で装着される。
【００４３】
内側部材２２は、合成樹脂により一体成形にて中心部に軸部２５，２６を備えた略軸状に形成され、外側部材２１の内部に挿通孔２７（図６参照）を通して上下方向に差し込み装着可能に設けられている。そして、内側部材２２は、外側部材２１に差し込み挿入されることで、外側部材２１に対して軸方向での位置保持がされるように構成されている。
【００４４】
すなわち、図６，８に示すように、内側部材２２には、軸方向先端側、及び、軸方向の中間部に、夫々、差し込み挿入に伴って脚部２４の係止部２４Ｂに係止して、外方側への抜け外れを阻止する抜け止め用の係止部２８，２９が設けられている。先端側の係止部２８及び中間側の係止部２９は、いずれも周方向全域に亘って係止用の段差を形成している。先端側の係止部２８と中間側の係止部２９との間に位置する先端側の軸部２５は、中間側の係止部２６よりも上方側に位置する基端側の軸部２６よりも小径に設けられている。内側部材２２の周囲には、周方向に間隔をあけて位置合わせ用のリブ３０が形成されている。基端側の軸部に設けられるリブ３０は、外側部材２１の内部に挿通孔２７に嵌り合うように設けられている。
【００４５】
外側部材２１が取付部材７に差し込み装着された状態で、内側部材２２を上方側から手作業により押し込みながら外側部材２１に挿通させると、図７，８に示すように、内側部材２２の中間側の係止部２９が脚部２４の係止部２４Ｂに弾性的に係合して抜け外れを防止することができる。このとき、基端側の軸部２６が大径に設けられていることから、弾性変形により外側部材２１の脚部２４が径方向外方に押し広げられ、径方向外方側に拡径される。
【００４６】
外側部材２１に対して内側部材２２に差し込み挿入して、脚部を径方向外方に押し広げようとする際に、脚部２４と取付部材７の本体部１３に形成された開口１６とが周方向に位置がずれていると、脚部２４が拡径できない。そのときは、外側部材２１を回動させて周方向に位置合わせしながら、内側部材２２を挿通させる。
【００４７】
そして、内側部材２２の挿通に伴って、脚部２４の抜け外れ防止用の係止部２４Ｂが、内側部材２２における軸方向の中間部に位置する受止め部２９に係止して位置保持状態に切り換わり、差し込み装着が完了する。その状態で内側部材２２の抜け外れが阻止される。
【００４８】
内側部材２２の挿入に伴って脚部２４が拡径されると、脚部２４は取付部材７の本体部１３に形成された開口１６の内部を通して径方向外方に張り出した状態となる。その結果、外側部材２１の脚部２４が本体部１３の開口１６の上縁１６ａ（係止部の一例）に係止して、外側部材２１が取付部材７に対して抜け外れが阻止される状態となる。その結果、外側部材２１の鍔部２３により上側板状部材１７が押えられて、下側板状部材５と上側板状部材１７とが連結される。
【００４９】
このようにして、連結部１８を用いて下側板状部材５と上側板状部材１７とが連結され、この状態で改修された防水シート３による防水作用が発揮される。
【００５０】
しかしながら、防水シート３を敷設した状態では、防水シート３は、シート固定具１の設置箇所以外の範囲では断熱材４の上に載置されているだけの状態となっているから、例えば風による揚力の作用や他の要因により防水シート３がバタつく現象を生じる場合がある。そのような場合、防水シートの動きが連結部１８に伝わり、内側部材２２と外側部材２１との係止箇所が摩耗したり、変形すること等に起因して、内側部材２２の中間部側の受止め部２９と外側部材２１の脚部２４との係止が外れてしまうおそれがある。
【００５１】
このように内側部材２２の中間部側の受止め部２９と外側部材２１の脚部２４との係止が外れた場合であっても、図８に示すように、外側部材２１の脚部２４が先端側に位置する受止め部２８に係止して内側部材２２の抜け外れが阻止される。
【００５２】
このとき、上記したような先端側の受止め部２８が設けられていなければ、上記したような風による揚力の作用等により、内側部材２２が抜け外れて大きく上方に持ち上げられてしまうことがある。そうすると、内側部材２２が斜め姿勢になって、上方側から踏みつけられたり、他物が乗りかかったりすると、防水シートが破損してしまうおそれがある。
【００５３】
これに対して、上記構成では、外側部材２１の脚部２４が先端側に位置する受止め部２８に係止するため、内側部材２２が大きく上方に持ち上げられることがなく、上述のような防水シートの破損を防止し易いものになる。
【００５４】
他の箇所におけるシート固定具１についても、同様に、上側板状部材１７を設置した後、それらの上から改修用の新たな防水シート３を広げて被せるように設置する。そして、防水シート３の弛みをとり、防水シート３の上から、新たに設置された上側板状部材１７に対応する箇所において、図示しない誘導加熱装置を当て付け、誘導加熱装置による加熱で上側板状部材１７の接着部２０に塗布されたホットメルト接着層を溶融させて、防水シート３を接着部２０に溶着する。これにより、接着部２０に防水シート３が固定され、屋根下地２に、上側板状部材１７、連結部１８、下側板状部材５、取付部材７、ビス６を介して、防水シート３が支持される。複数のシート固定具１に接着すれば、改修用の防水シート３の固定が完了する。
【００５５】
上記したような構成のシート固定具１であれば、改修作業を行う場合、既に設置されている取付部材７に対して、外側部材２１を挿通させたのち、内側部材２２を押し込みながら差し込み装着させるだけの簡単な作業で対応できる。
【００５６】
〔別実施形態〕
（１）上記実施形態では、第一部材Ｄ１を構成する板状部材５と取付部材７とが別体で構成されるものを示したが、この構成に代えて、板状部材５と取付部材７とが金属材にて一体的に形成されるものであってもよい。
【００５７】
（２）上記実施形態では、連結部１８が、径方向に拡径可能に構成された筒状の外側部材２１と、外側部材２１に挿通されることで、外側部材２１を拡径させる軸状の内側部材２２とを備え、取付部材７の本体部１３に内側部材２２によって拡径された外側部材２１が係止する係止部（上縁）１６ａが備えられる構成としたが、この構成に代えて、次のように構成されるものでもよい。
【００５８】
図１１に示すように、シート固定具１に、上記実施形態における下側板状部材５と同じ構成の下側板状部材５と、取付部材７と同様な構成の取付部材７とが備えられている。すなわち、取付部材７は、筒状の本体部１３と、鍔状部１４と、座繰り部１５とを備えている。しかし、この取付部材７は、内周部における上部側箇所に雌ネジ部３５が形成されている。そして、連結部１８として、取付部材７の内周部に螺合可能であるボス部材３６と、ボス部材３６の内周部に螺合可能なビス３７とが備えられる。
【００５９】
ボス部材３６は、合成樹脂材にて構成されている。図１１に示すように、ボス部材３６の外周部に、取付部材３１の雌ネジ部３５に螺合可能な雄ネジ部３８が形成されている。ボス部材３６の内周部には、ビス３７が螺合可能な雌ネジ部３９が形成されている。
【００６０】
上側板状部材１７は、円板状であり、その中央部分に第二開口部としての挿通孔１９が設けられ、且つ、挿通孔１９の外周側にホットメルト接着層からなる接着部２０が設けられる点は、上記実施形態と同じである。しかし、この上側板状部材１７における挿通孔１９は、ビス３７のネジ部３７Ａは挿通するが、ビス３７の頭部３７Ｂは挿通できない程度の大きさに形成されている。ビス３７は皿ビスにて構成され、上側板状部材１７における挿通孔１９の周囲には座繰り部１９ａが形成されている。
【００６１】
防水シート３の改修作業を行う場合には、図１１に示すように、シート固定具１で固定されている箇所の中央部にて周方向に切れ目３ａを入れて切り抜き、切り抜いた部分の防水シート３を取り除く。そして、図１２に示すように、下側板状部材５の上側から重ねるように、上側板状部材１７を載置して、上方側からビス３７を挿通し、ボス部材３６の雌ネジ部３９に螺合装着して固定する。そのとき、ボス部材３６を筒状の本体部１３の上端よりも少し低い位置までネジ込み、上側板状部材１７の座繰り部１９ａが入り込むようにしている。そして、それらの上から改修用の新たな防水シート３を広げて被せて、接着部２０に熱溶着により固定する点は上記実施形態と同じである。
【００６２】
（３）上記実施形態では、改修用の新たな防水シート３を、上側板状部材１７に設けられた接着部２０に熱溶着により固定する構成としたが、この構成に代えて、例えば、図１３に示すように、改修用の新たな防水シート３の上方側から上側板状部材１７を取り付けて連結部１８（具体的にはビス４０）により下側板状部材５に連結することにより、防水シート３を押えて固定する構成としてもよい。この構成では、上側板状部材１７は、平らな円板状に形成され、中央にビス４０だけが通過可能な挿通孔が形成されている。ビス４０は、皿ビスにて構成され、上側板状部材１７の挿通孔には座繰り部が形成されている。そして、上側板状部材１７を取付けた状態では、上側板状部材１７やビス４０が露出するので、上側板状部材１７よりも一回り大きい防水カバー体４１により覆うようにするとよい。防水カバー体４１は、上側板状部材１７の外表面に接着剤等によって貼り付けて固定するとよい。
【００６３】
（４）上記実施形態では、屋根下地２が、鉄筋コンクリート製のスラブによって構成されるものを示したが、これに限るものではなく、例えば、一般階のスラブや、バルコニーや、駐車場の床や、遊泳プール床・周壁、傾斜屋根や、壁等、防水層が設置される各種部分を対象とすることができる。
また、それらの構造は、鉄筋コンクリートに限るものではなく、例えば、木造や、鉄骨、折板、デッキプレート等、特に限定されるものではない。
【００６４】
（５）上記実施形態では、防水シート３が塩化ビニル系等の合成樹脂製シート材にて構成されるものを示したが、これに限るものではなく、公知の他の材料（例えば、ゴムやＴＰＥ≪サーモ・プラスチック・エラストマ≫等）を使用したものであってもよい。
【００６５】
（６）上記実施形態では、接着部がホットメルト接着層で構成されるものを示したが、これに限るものではなく、公知の他の接着材で構成するものであってもよい。
【００６６】
（７）上記実施形態では、下側板状部材がビスで防水下地に固定される構成としたが、ビスに限らず、プラグアンカを用いてビスを固定する構成、あるいは、釘を打ちこんで固定する構成を用いるようにしてもよい。
【産業上の利用可能性】
【００６７】
本発明は、防水下地の上に沿って設けられる防水シートを防水下地に固定する防水シート固定具に適用できる。
【符号の説明】
【００６８】
２      防水下地
３      防水シート
５      上面部
６      ビス
７      筒状部
８      第一開口部
９      第一シート固定部
１５    頭部係止部
１６ａ  係止部
１８    連結部
１９    第二開口部
２０    第二シート固定部
２１    外側部材
２２    内側部材
３６    ボス部材
３７    ビス
【図１】
2019085772.tif 000003
【図２】
2019085772.tif 000004
【図３】
2019085772.tif 000005
【図４】
2019085772.tif 000006
【図５】
2019085772.tif 000007
【図６】
2019085772.tif 000008
【図７】
2019085772.tif 000009
【図８】
2019085772.tif 000010
【図９】
2019085772.tif 000011
【図１０】
2019085772.tif 000012
【図１１】
2019085772.tif 000013
【図１２】
2019085772.tif 000014
【図１３】
2019085772.tif 000015